【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
ノズルに対応してアクチュエータを備え、プッシュプル接続された二つのトランジスタに駆動波形信号を供給し、前記トランジスタからの出力を駆動パルスとして前記アクチュエータに印加することによって、対応する前記ノズルからインク滴を吐出するインクジェットプリンタであって、
電圧値を規定する波形データをクロックの動作単位で加減算して階段状に電圧値が増減する前記駆動パルスを発生させる駆動パルス発生手段と、
前記アクチュエータに対して配設され、前記アクチュエータを前記駆動パルスに断続させる選択スイッチと、
前記駆動パルスの電圧値が保持される時間内で、前記選択スイッチに対し、他の選択スィッチと異なるタイミングで前記選択スイッチの断続を制御する選択スイッチ制御手段と、
を備えたことを特徴とするインクジェットプリンタ。
【請求項２】
前記選択スイッチ制御手段による前記選択スイッチの遮断開始タイミングを、前記アクチュエータの充電電位が所定値に達するタイミング以後に設定することを特徴とする請求項１に記載のインクジェットプリンタ。
【請求項３】
前記選択スイッチ制御手段による前記選択スイッチの接続時間が他の選択スィッチの接続時間と重合しないように断続タイミングを設定することを特徴とする請求項１又は２に記載のインクジェットプリンタ。
【請求項４】
ノズルに対応してアクチュエータと、電圧値を規定する波形データをクロックの動作単位で加減算して階段状に電圧値が増減する駆動パルスを発生させる駆動パルス発生手段と、前記アクチュエータに対して配設され前記アクチュエータを前記駆動パルスに断続させる選択スイッチとを備え、プッシュプル接続された二つのトランジスタに駆動波形信号を供給し前記トランジスタからの出力を前記駆動パルスとして前記アクチュエータに印加することによって、対応する前記ノズルからインク滴を吐出するインクジェットプリンタにおいて、
前記駆動パルスの電圧値が保持される時間内で、前記選択スイッチに対し、他の選択スィッチと異なるタイミングで前記選択スイッチの断続を制御することを特徴とするインクジェットプリンタ駆動方法。
【手続補正２】
【補正対象書類名】明細書
【補正対象項目名】０００７
【補正方法】変更
【補正の内容】
【０００７】
［発明１］上記課題を解決するために、発明１のインクジェットプリンタは、ノズルに対応してアクチュエータを備え、プッシュプル接続された二つのトランジスタに駆動波形信号を供給し、前記トランジスタからの出力を駆動パルスとして前記アクチュエータに印加することによって、対応する前記ノズルからインク滴を吐出するインクジェットプリンタであって、電圧値を規定する波形データをクロックの動作単位で加減算して階段状に電圧値が増減する前記駆動パルスを発生させる駆動パルス発生手段と、前記アクチュエータに対して配設され前記アクチュエータを前記駆動パルスに断続させる選択スイッチと、前記駆動パルスの電圧値が保持される時間内で、前記選択スイッチに対し、他の選択スィッチと異なるタイミングで前記選択スイッチの断続を制御する選択スイッチ制御手段とを備えたことを特徴とするものである。
【手続補正３】
【補正対象書類名】明細書
【補正対象項目名】０００８
【補正方法】変更
【補正の内容】
【０００８】
この発明１に係るインクジェットプリンタによれば、プッシュプル接続された二つのトランジスタに駆動波形信号を供給し、その出力を駆動パルスとしてアクチュエータに印加することによって、対応するノズルからインク滴を吐出するにあたり、電圧値を規定する波形データをクロックの動作単位で加減算して階段状に電圧値が増減する駆動パルスを発生し、この単一の駆動パルスに対して、駆動パルスの電圧値が保持される時間内で、選択スイッチに対し、他の選択スィッチと異なるタイミングで選択スイッチの断続を制御する構成としたため、容量性負荷であるアクチュエータが所定の電位に充放電する極短い時間差で駆動パルスの印加タイミング、即ちアクチュエータの駆動タイミングをずらすことができ、これによりインク滴着弾位置精度低下の問題を回避しながら、単一の駆動パルスでトランジスタの発熱を低減することができる。
【手続補正４】
【補正対象書類名】明細書
【補正対象項目名】０００９
【補正方法】変更
【補正の内容】
【０００９】
［発明２］発明２のインクジェットプリンタは、前記発明１のインクジェットプリンタにおいて、前記選択スイッチ制御手段による前記選択スイッチの遮断開始タイミングを、前記アクチュエータの充電電位が所定値に達するタイミング以後に設定することを特徴とするものである。
この発明２に係るインクジェットプリンタによれば、選択スイッチの遮断開始タイミングを、選択スイッチ接続開始から少なくともアクチュエータの充電電位が所定値に達するタイミング以後に設定することにより、アクチュエータの充電状態を駆動パルス本来の電圧状態に応じたものとすることができ、これによりアクチュエータを駆動パルス本来の状態に駆動することができる。
【手続補正５】
【補正対象書類名】明細書
【補正対象項目名】００１０
【補正方法】変更
【補正の内容】
【００１０】
［発明３］発明３のインクジェットプリンタは、前記発明１又は２のインクジェットプリンタにおいて、前記選択スイッチ制御手段による前記選択スイッチの接続時間が他の選択スィッチの接続時間と重合しないように断続タイミングを設定することを特徴とするものである。 この発明３に係るインクジェットプリンタによれば、選択スイッチの接続時間が他の選択スィッチの接続時間と重合しないように断続タイミングを設定することにより、プッシュプル接続された２つのトランジスタの発熱を確実に低減することができる。
【手続補正６】
【補正対象書類名】明細書
【補正対象項目名】００１１
【補正方法】変更
【補正の内容】
【００１１】
［発明４］発明４のインクジェットプリンタ駆動方法は、ノズルに対応してアクチュエータと、電圧値を規定する波形データをクロックの動作単位で加減算して階段状に電圧値が増減する駆動パルスを発生させる駆動パルス発生手段と、前記アクチュエータに対して配設され前記アクチュエータを前記駆動パルスに断続させる選択スイッチとを備え、プッシュプル接続された二つのトランジスタに駆動波形信号を供給し前記トランジスタからの出力を前記駆動パルスとして前記アクチュエータに印加することによって、対応する前記ノズルからインク滴を吐出するインクジェットプリンタにおいて、前記駆動パルスの電圧値が保持される時間内で、前記選択スイッチに対し、他の選択スィッチと異なるタイミングで前記選択スイッチの断続を制御することを特徴とするものである。
【手続補正７】
【補正対象書類名】明細書
【補正対象項目名】００１２
【補正方法】変更
【補正の内容】
【００１２】
この発明４に係るインクジェットプリンタ駆動方法によれば、プッシュプル接続された二つのトランジスタに駆動波形信号を供給し、その出力を駆動パルスとしてアクチュエータに印加することによって、対応するノズルからインク滴を吐出するにあたり、電圧値を規定する波形データをクロックの動作単位で加減算して階段状に電圧値が増減する駆動パルスを発生し、この単一の駆動パルスに対して、駆動パルスの電圧値が保持される時間内で、選択スイッチに対し、他の選択スィッチと異なるタイミングで選択スイッチの断続を制御する構成としたため、アクチュエータが所定の電位に充放電する極短い時間差で駆動パルスの印加タイミング、即ちアクチュエータの駆動タイミングをずらすことができ、これによりインク滴着弾位置精度低下の問題を回避しながら、単一の駆動パルスでトランジスタの発熱を低減することができる。